(57)【要約】      （修正有）【課題】複数の表示領域からなる画面を表示しているときに、台形補正を実行することで、表示領域の画像が見づらくなる可能性を低減する。【解決手段】表示画像を変形させると、表示領域の配置、数、大きさを変更する。複数の表示領域からなる画像を生成する生成手段と、前記生成手段により生成された前記複数の表示領域からなる画像を変形させる変形手段と、前記変形手段により変形された前記複数の表示領域からなる画像を投影する投影手段と、前記変形手段により前記複数の表示領域からなる画像が変形されたことに応じて、前記複数の表示領域の配置または、数または、大きさを変更した画像を生成するよう前記生成手段を制御する制御手段とを有する。【選択図】図４
2012042659.tif 000002
【特許請求の範囲】
【請求項１】
複数の表示領域をからなる画像を生成する生成手段と、
前記生成手段により生成された前記複数の表示領域からなる画像を変形させる変形手段と、
前記変形手段により変形された前記複数の表示領域からなる画像を投影する投影手段と、
前記変形手段により前記複数の表示領域からなる画像が変形されたことに応じて、前記複数の表示領域の配置または、数または、大きさを変更した画像を生成するよう前記生成手段を制御する制御手段とを有することを特徴とする投影装置。
【請求項２】
前記制御手段は、前記変形手段により前記複数の表示領域からなる画像が変形されない場合には、前記複数の表示領域の配置または、数または、大きさを変更しない画像を生成するよう前記生成手段を制御することを特徴とする請求項１記載の投影装置。
【請求項３】
前記変形手段は、前記生成手段により生成された前記複数の表示領域からなる画像の画素を削減させ、
前記制御手段は、前記前記複数の表示領域からなる画像の画素を削減させる量が増えると前記表示領域の数を減少させるよう前記生成手段を制御することを特徴とする請求項１または２記載の投影装置。
【請求項４】
前記変形手段は、前記生成手段により生成された前記複数の表示領域からなる画像の画素を削減させ、
前記制御手段は、前記複数の表示領域からなる画像の画素を削減させる量が増えると前記表示領域の大きさを大きくするよう前記生成手段を制御することを特徴とする請求項１から３のいずれか１項記載の投影装置。
【請求項５】
前記変形手段は、前記生成手段により生成された前記複数の表示領域からなる画像の形状を台形に変形させることを特徴とする請求項１から４のいずれか１項記載の投影装置。
【請求項６】
更に、画像データを入力する入力手段を有し、
前記生成手段は、前記入力手段により入力された画像データを前記複数の表示領域に表示することを特徴とする請求項１から５のいずれか１項記載の投影装置。
【請求項７】
前記画像データは、静止画データまたは動画データのサムネイル画像であることを特徴とする請求項６記載の投影装置。
【請求項８】
前記画像データは、複数の外部装置から受信した画像であることを特徴とする請求項６記載の投影装置。
【請求項９】
複数の表示領域をからなる画像を生成する生成手段と前記生成手段により生成された前記複数の表示領域からなる画像を変形させる変形手段と前記変形手段により変形された前記複数の表示領域からなる画像を投影する投影手段とを有する投影装置の制御方法であって、
前記変形手段により前記複数の表示領域からなる画像が変形されたことに応じて、前記複数の表示領域の配置または、数または、大きさを変更した画像を生成するよう前記生成手段を制御することを特徴とする投影装置の制御方法。
【請求項１０】
投影装置と、画像処理装置とからなる投影システムであって、
前記画像処理装置は、
複数の表示領域からなる画像を生成する生成手段と、
前記生成手段により生成された前記複数の表示領域からなる画像を前記投影装置に送信する送信手段とを有し、
前記投影装置は、
前記画像処理装置から受信した前記複数の表示領域からなる画像を変形させる変形手段と、
前記変形手段により変形された前記複数の表示領域からなる画像を投影する投影手段とを有し、
前記変形手段により前記複数の表示領域からなる画像が変形されると、前記複数の表示領域の配置または、数または、大きさを変更するよう前記生成手段を制御する制御手段とを有することを特徴とする投影システム。
【請求項１１】
複数の表示領域からなる画像を生成する生成手段と、
前記生成手段により生成された前記複数の表示領域からなる画像を前記投影装置に送信する送信手段と、
前記投影装置から情報を受信する受信手段と、
前記投影装置における前記複数の表示領域からなる画像の変形に関する情報に基づいて、前記複数の表示領域の配置される位置を変更するよう前記生成手段を制御する制御手段とを有することを特徴とする画像処理装置。
【発明の詳細な説明】
【技術分野】
【０００１】
本発明は、投影装置、投影方法または、投影システムに関し、特に、台形補正やキーストンと呼ばれる、投影画面の台形歪みを補正する機能を有する投影装置、投影方法、投影システムに関する。また、これらの機能を有する投影装置と接続可能な画像処理装置、これらの機能を有する投影装置と接続可能なコンピュータ上で動作するプログラムに関する。
【背景技術】
【０００２】
従来、投影装置には、台形補正やキーストンと呼ばれる、投影画面の台形歪みと逆に画像を変形させる機能が搭載されてきている（例えば、特許文献１）。また、さらに投影装置では、記録媒体に記録された複数の画像のサムネイルなどを投影画面の複数の領域に表示することができるものがあった（例えば、特許文献２）。
【先行技術文献】
【特許文献】
【０００３】
【特許文献１】特開２００５−１１４９０５号公報
【特許文献２】特開２００８−２７５７１４号公報
【発明の概要】
【発明が解決しようとする課題】
【０００４】
しかし、特許文献２の投影装置では、例えば、投影装置の配置によって、スクリーン上に投影された投影画面の下部ほど投影画面の上部より小さくなる投影状態になると、通常のアスペクト比で投影画面が表示されないので、台形補正の必要が生じる。この場合、ユーザは投影画面の台形補正をすることにより正常なアスペクト比で投影画面が表示されるように調整する。この場合、台形補正やキーストンの処理は、投影されている画像とは逆の台形になるように画像を変形させる処理をして、投影することで、正常なアスペクト比の画像を投影させる。すなわち、画面上部に行くにつれて画像の横幅が小さくなるように投影画面の画像の画素を間引く処理をしてから投影をさせることになる（特許文献１、参照）。
【０００５】
そのため、投影画面上部になるほど、画素数が減ってしまい、解像度が低下する、これは特に、特許文献２のように複数の表示領域にサムネイルを表示している場合には、画面上部の領域に表示されたサムネイルの画素数が減ってしまい、見づらくなってしまう。
【０００６】
そこで、本発明は、投影画面上の画像が、台形補正により見づらくなる可能性を低減するすることができる投影装置、投影方法または、投影システムを提供することを目的とする。
【課題を解決するための手段】
【０００７】
本発明の投影装置は、かかる目的を達成するために、複数の表示領域をからなる画像を生成する生成手段と、前記生成手段により生成された前記複数の表示領域からなる画像を変形させる変形手段と、前記変形手段により変形された前記複数の表示領域からなる画像を投影する投影手段と、前記変形手段により前記複数の表示領域からなる画像が変形されたことに応じて、前記複数の表示領域の配置または、数または、大きさを変更した画像を生成するよう前記生成手段を制御する制御手段とを有する構成とした。
【発明の効果】
【０００８】
本発明によれば、投影画面上の複数の領域に画像などを分けて表示する場合、台形補正がされると、表示領域の構成を変更するので、台形補正をしても画像が見づらくなってしまう可能性を低減することができる。
【図面の簡単な説明】
【０００９】
【図１】実施例１、２のプロジェクタ１００の構成を示すブロック図である。
【図２】台形補正の方法と投影画像について説明する為の図である。
【図３】台形補正値と液晶パネル上の画像変形を説明するための図である。
【図４】台形補正値とサムネイル画像の配置を説明する図である。
【図５】実施例２の再生装置２００の構成を示すブロック図である。
【図６】実施例１のプロジェクタ１００における動作シーケンスである。
【図７】実施例２のプロジェクタ１００、再生装置２００における動作シーケンスである。
【図８】台形補正値とサムネイルの大きさ、位置、数の関係を示した例である。
【発明を実施するための形態】
【００１０】
以下、図面を参照して本発明の実施例を詳細に説明するが、この発明は以下の実施の形態に限定されない。また、この発明の実施の形態は発明の好ましい形態を示すものであり、発明の範囲を限定するものではない。
【実施例１】
【００１１】
本実施例では、液晶ユニットを内蔵した液晶プロジェクタを例にとって説明する。本実施例では、プロジェクタ１００で記録媒体から再生した複数画像データに対応するそれぞれのサムネイル画像を、１画面上に複数設定された表示領域に表示する画像を生成して、投影する場合について説明する。特に、本実施例のプロジェクタ１００は、投影画像の台形補正（キーストン補正）をするときに、サムネイル画像を表示する表示領域の配置を変更した画像を生成することで、サムネイル画像が見難くならないようにすることができる。また、投影画像の台形補正（キーストン補正）をするときに、サムネイル画像の表示領域の数を減らした画像を生成することで、サムネイル画像が見難くならないようにすることができる。また、投影画像の台形補正（キーストン補正）をするときに、サムネイル画像の表示領域の大きさを変更した画像を生成することで、サムネイル画像が見難くならないようにすることができる。ここでいう、位置、大きさとは、投影画面上に表示される表示領域の位置、大きさである。
【００１２】
本実施例では、配置された複数の表示領域にサムネイル画像を表示する画像を生成する例について説明する。しかし、配置された複数の表示領域は、サムネイル画像以外の画像を表示してもよい。
【００１３】
以下、図１を用いて、本実施例のプロジェクタ１００の主要な構成を説明する。
まず、制御部１０１は、ＣＰＵとメモリまたは、マイコンチップなどからなり、プロジェクタ１００の各機能ブロックを制御するものである。また、操作部１０２は、ユーザの指示を受け付け、制御部１０１に指示信号を送信するものである。またバス１１０は、画像データや制御信号などをプロジェクタ１００の各ブロックに送るためのものである。
【００１４】
また、記録再生部１２０は、記録媒体１２１に記録されている動画データや静止画データ、その他のデータなど再生する。記録再生部１２０は、記録媒体１２１に記録されている動画データや静止画データ、その他のデータのヘッダなどに記録されているサムネイルデータを読出すこともできる。ここで、記録媒体１２１は、動画データ、静止画データ、等を記録することができれば、磁気ディスク、光学式ディスク、半導体メモリなどのあらゆる方式の記録媒体であってよく、着脱可能な記録媒体であっても、内蔵型の記録媒体であってもよい。
【００１５】
画像入力部１３０は、例えば、カメラやパソコン、携帯電話等の外部装置から画像データを受信するものである。たとえば、ＲＧＢ端子、映像端子、Ｄ端子等、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）端子などの、画像を入力するための端子などである。
【００１６】
通信部１４０は、例えば、カメラやパソコン、携帯電話等の外部装置から制御信号を受信したり、画像データを受信したりするものである。例えば、無線有線ＬＡＮ、ＵＳＢ、Ｂｌｕｅｔｏｏｔｈ（登録商標）などのあらゆる通信が可能である。また、画像入力部１３０の端子が、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）端子であれば、その端子を介してＣＥＣ通信を行うようなものであっても良い。
【００１７】
表示部１５０は、プロジェクタ１００の外装などに取付けられた液晶パネルなどであって、表示制御部１５１によって操作画面や警告画面などを表示する。表示部１５０は、画像を表示できればどのようなものであっても良い。例えば、ＣＲＴディスプレイ、有機ＥＬディスプレイ、ＬＥＤディスプレイであって良い。
【００１８】
また、画像処理部１６０は、制御部１０１、記録再生部１２０、画像入力部１３０、通信部１４０、等から送られた動画データ、静止画データの画素数やフレーム数、画像形状を変更するものである。画像処理部１６０は、ユーザが操作部１０２を操作して台形補正処理の指示を入力すると、制御部１０１の制御のものと画像データの形状を変化させる。また、重力方向を検出することができる不図示の重力センサを備え、重力センサにより得られた、装置の傾きから、投影光学系の傾きを演算し、その傾き角に基づいて、台形補正処理による画像データの変形度合いを調整しても良い。
【００１９】
また、液晶制御部１７０は、画像処理部１６０で処理された動画データ、静止画データに基づいて、液晶ユニット１７１に画像を形成させるものである。動画データの場合には、画像処理部１６０から送信される１フレームの画像を受信する度に液晶ユニット１７１に画像を形成させる。静止画データの場合には、画像処理部１６０から送信された画像を液晶ユニット１７１に表示させ続けても良いし、画像処理部１６０が例えば、６０フレーム／秒で同じ画像データを送信しつづけてもよい。ここで液晶ユニット１７１は、単数の液晶パネルまたは複数の液晶パネル、色フィルタ（または分光器、ダイクロックミラー）、偏光板などによって構成されている。そして、この液晶パネルに液晶制御部１７０によって表示画像用の制御がされた電圧が印可されることによって、画像を形成することができる。
【００２０】
光源制御部１８０は、光源１８１の光量制御、オンオフ制御などをおこなう。光源１８１は、例えば、高圧水銀ランプ、ハロゲンランプ、ＬＥＤ等によって構成されている。光源１８１からの光束は、液晶ユニット１７１の液晶パネル、偏光板、色フィルタなどを通過して、投影部１９０に導かれる。
【００２１】
投影部１９０は、液晶ユニット１７１を通過して来た光を不図示のスクリーンに投影するレンズ群からなっている。レンズは複数であっても単数であってもよい。
【００２２】
本実施例の表示制御部１５１、画像処理部１６０、液晶制御部１７０、光源制御部１８０は、同様の処理を行うことのできる単数または複数のチップであっても良い。または、制御部１０１の機能を実現するマイクロコントローラなどによって同様の処理をさせて田ものであっても良い
ここで、本実施例のプロジェクタ１００の通常の動作について説明する。
【００２３】
操作部１０２や不図示のリモコンによりユーザがプロジェクタ１００の電源を入れると、不図示の電源部からプロジェクタ１００の各部に電源が供給される。次に、操作部１０２や不図示のリモコンによりユーザが記録媒体１２１から静止画データや動画データ（画像データ）を読出して投影する指示をすると、制御部１０１は、記録再生部１２０に記録媒体から指定された画像データを記録媒体１２１から再生させる。再生された画像データは、制御部１０１の制御のもと、画像処理部１６０に送信される。また、画像入力部１３０、通信部１４０に入力された画像データに関しても、制御部１０１の制御のもと、画像処理部１６０に送信される。また、制御部１０１によって生成された画像データについても、画像処理部１６０に送信される。
【００２４】
そして、画像処理部１６０は、画像データの画素数やフレーム数、形状などを調整し、制御部１０１の制御のもと、液晶制御部１７０に処理された画像を送信する。液晶制御部１７０は、受信した画像に基づいて、液晶ユニット１７１の液晶パネルに印加する電圧を調整し、液晶ユニット１７１の液晶パネルに画像を形成させる。そして、光源制御部１８０は、制御部１０１の制御のもと光源１８１への電源供給を開始し、光源１８１を発光させる。光源１８１からの光束は、液晶パネルに形成された画像によって光量が制御されて、投影部１９０に入力される。投影部１９０は、その入力された光束を不図示のスクリーンに投影する。
この様にして、記録媒体１２１に記録された画像データは、スクリーンに投影されるのである。
【００２５】
また、ここで、複数の静止画データ及び／または複数の動画データが記録媒体１２１に記録されている場合には、制御部１０１は、複数の静止画データ及び／または複数の動画データのサムネイル画像を生成して表示させることができる。このときには、制御部１０１は、各動画データまたは静止画データのヘッダからサムネイル画像を読出すように記録再生部１２０を制御してもよいし、各動画データまたは静止画データの縮小画像を画像処理部１６０において生成しても良い。
【００２６】
本実施例において、画像処理部１６０は、制御部１０１の制御のものと入力された画像データの形状を変化させる。プロジェクタ１００は、通常、入力された画像の形状（アスペクト比等であってもよい）のまま、拡大または縮小した画像を投影している。長方形画像が入力されている場合には、長方形の画像を液晶制御部１７０に送信し、液晶ユニット１７１上には長方形の画像が表示されている。ここで、制御部１０１からの指示によって、台形補正（キーストン補正）が入力されると、後述するように、画像の一部を間引いた画像データを生成して、液晶制御部１７０に送信する。すなわち、長方形の画像を長辺が下になるような台形の画像に変形させたり、長辺が上になるような台形の画像に変形させたりする。本発明では具体的に説明はしないが、左右方向についても同様に台形補正を行うことができる。
【００２７】
また、本実施例において、制御部１０１は、記録媒体１２１から再生させた動画データや静止画データなどの、複数画像データに対応するそれぞれのサムネイル画像を、１画面上に複数配置された表示領域に表示する画像を生成することができる。すなわち、後述する図４（ａ）のような画像を生成することができる。本実施例では具体的な説明を行わないが、サムネイル画像同様、画像入力部１３０、通信部１４０から入力される複数の画像データをそれぞれ、１画面上に複数配置された表示領域に表示する画像を生成することもできる。
【００２８】
そして、制御部１０１は、画像処理部１６０において、投影画像の台形補正（キーストン補正）をするときに、サムネイル画像の表示された表示領域の配置する位置を変更した画像を生成する。または、表示領域の数を減らした画像を生成する。または、表示領域の大きさを変更した画像を生成する。または、後述する図８で説明するように、台形補正の割合（変形率、台形補正値）に応じて、表示領域の位置変更、数変更、大きさの変更を任意に組み合わせた変更をした画像を生成してもよい。
【００２９】
具体的には後述するが、台形補正により、画素の間引かれる量の多い位置から画素の間引かれる量の少ない位置に、複数の表示領域のうち少なくとも一部を移動させるような、表示領域の配置の変更をした画像を生成する。または、台形補正により、画素の間引かれる量の多い位置の表示領域を無くして、表示領域の数を減らした画像を生成する。または、台形補正により、画素の間引かれる量の多い位置の表示領域の大きさを拡大した画像を生成する。
【００３０】
この様に制御することによって、複数の表示領域に表示されたサムネイル画像が見難くならないようにすることができる。また、前述したように、本実施例では、配置された複数の表示領域にサムネイル画像を表示する画像を生成する例について説明する。しかし、配置された複数の表示領域は、サムネイル画像以外の画像を表示してもよい。すなわち、画像入力部１３０、通信部１４０に入力された複数の画像データを前述した複数の表示領域に表示させるようにしても良い。
【００３１】
次に、本実施例のプロジェクタ１００の台形補正処理について説明する。本実施例では、手動で台形補正を行う場合について説明する。本実施例では、プロジェクタ１００が水平から約１０度の上向きに投影している場合について説明する。
【００３２】
図２は、台形補正について説明するための図であり、台形補正が施されていないときの、スクリーン投影画像と、液晶ユニット１７１の液晶パネルに形成された画像を並べて示した図である。２０１は、スクリーンに投影されている画像を示している。２０２は、液晶ユニット１７１の液晶パネルに形成された画像を示している。
【００３３】
例えば、プロジェクタ１００が水平から上向きに投影している場合、投影面の上端と下端とでは光学系１０７とスクリーンとの距離が異なる。そのため、画像の上の部分が引き延ばされてしまうことになり、スクリーン上には、投影画像２０１に示すような画像が投影されることになる。この時、液晶パネルに形成された画像２５１は、通常の縦横比の長方形の画像を出力している。
【００３４】
そこで、ユーザは画面を確認しながら、操作部１０２を操作し、台形補正を行うことになる。即ち、制御部１０１は、操作部１０２によって設定された台形補正値に応じて、画像処理部１６０に入力されている画像を変形するように画像処理部１６０を制御し、液晶パネルに形成される画像の形状を変える。たとえば、補正量を＋１５〜−１５で表し、＋は上部が、−は下部が、それぞれ短くなるような台形補正処理であるとする。例えば、本実施例では、補正値を大きくするほど、画面の下端に比べて上端が短くなるように台形補正処理を行う。具体的には、台形補正値を＋５とすると、制御部１０１は、液晶パネルに形成される画像２５２の画像を台形に変形させるように画像処理部１６０を制御する。このような補正を行うことにより、投影画像２０２は、台形の歪みが少なくなる。実際は、プロジェクタと投影距離に応じて適宜選択されることになる。
【００３５】
すなわち、ユーザは、画面を確認し、まだ歪んでいることを確認すると、更に操作部１０２を操作し、台形補正を行うことになる。例えば、台形補正値を＋１０とすると、制御部１０１は、液晶パネルに形成される画像２５３の画像を更に変形させるよう画像処理部１６０を制御する。この様な補正を行うことにより、投影画像２０３は台形状歪みがほぼなくなり、通常のアスペクト比の投影画像を表示することができるようになる。
【００３６】
以上の説明では、台形補正値を正の値に設定して、液晶パネルに形成される画像の形状の上の部分を縮小していた。逆に、台形補正値を負の値に設定すると、液晶パネルに形成される画像の形状の下の部分を縮小する。例えば、図３（ａ）に示すように、台形補正値をプラス方向に増やしていくほど、液晶パネルに形成される画像の上の部分を縮小する。そして、図３（ｂ）のように、台形補正値をマイナス方向に増やしていくほど、液晶パネルに形成される画像の下の部分を縮小する。すなわち、制御部１０１は、台形補正値が大きくなるほど画像の歪みが大きくなるように画像処理部１６０を制御する。
【００３７】
ここで、図４を用いて、画像処理部１６０において、台形補正を実行したときの制御部１０１にて生成される、複数の表示領域を１画面上に配置した画像の形態の関係について説明する。本実施例のプロジェクタ１００では、記録媒体１２１から再生させた複数の静止画データ及び／または複数の動画データなどの、複数画像データに対応するそれぞれのサムネイル画像を、１画面上に複数配置された表示領域に表示することができる。このとき、制御部１０１は、各動画データまたは静止画データのヘッダからサムネイル画像を読出すように記録再生部１２０を制御してもよいし、各動画データまたは静止画データの縮小画像を画像処理部１６０に生成させても良い。
【００３８】
ここでは、静止画データのサムネイルを表示させる例について説明するが、動画データのサムネイルを表示させる場合であっても同様の動作とすることができる。また、動画データと静止画データのサムネイルを同じ画面上に表示することもできる。また、動画データの各フレームを本実施例のサムネイルと同様の配置で表示することができる。
【００３９】
ユーザが操作部１０２を操作し、記録媒体１２１から静止画データを読出す指示をすると、制御部１０１は、記録媒体１２１から静止画データを読出すよう記録再生部１２０を制御する。そして、制御部１０１は、読出された静止画データを縮小したサムネイル画像を生成し、１画面中の複数の表示領域にそれぞれサムネイル画像を表示させた画像を生成し、画像処理部１６０に送信する。
【００４０】
一方で、制御部１０１は、前述した台形補正値を画像処理部１６０に送信している。このとき、制御部１０１は、図３、図４に示すように、１画面内の表示領域の配置、大きさ、数などを台形補正値によって異ならせている。
【００４１】
ここで、図４は、制御部１０１にて生成される、複数の表示領域からなる１画面の画像を示している。本実施例のプロジェクタ１００の制御部１０１は、台形補正値が＋５〜−５の範囲では、図３に示すように液晶パネル上で画素数が大きく削減されるような変形ではないので、図４（ａ）のように１つの画面を構成する複数の表示領域を画面上にほぼ均等に配置した画像を生成する。本実施例ではこの様な配置を「通常配置」とする。
【００４２】
次に、台形補正値が＋６〜＋１０の範囲では、図３（ａ）に示すように液晶パネル上で特に上部に行くに従って間引かれる画素数が大きくなる変形が行われることになる。そのため、制御部１０１は、図４（ｂ）のように１画面を構成する複数の表示領域を上の方に表示しないように表示領域を配置する位置を「通常配置」に比べて下に移動させた画像を生成する。逆に、台形補正値が−６〜−１０の範囲では、図３（ｂ）に示すように、液晶パネル上で特に下部に行くに従って間引かれる画素数が大きくなる変形が行われることになる。そのため、画像処理部１６０は、図４（ｂ’）のように、１画面を構成する複数の表示領域を下の方に表示しないように表示領域を配置する位置を「通常配置」に比べて上に移動させた画像を生成する。
【００４３】
すなわち、制御部１０１は、台形補正によって画像が変形されると、１画面を構成する複数の表示領域の配置を変更するようにしている。
【００４４】
次に、台形補正値が＋１１〜＋１５の範囲では、図３（ａ）に示すように液晶パネル上で特に上部に行くに従って間引かれる画素数がさらに大きくなる変形が行われることになる。そうすると、制御部１０１は、図４（ｃ）のように、１画面を構成する複数の表示領域を配置する位置変更するだけではなく、表示領域の数を少なくすると共に、間引かれる画素数の多い位置の表示領域の大きさを拡大した画像を生成する。逆に、台形補正値が＋１１〜＋１５の範囲では、図３（ｂ）に示すように液晶パネル上で特に下部に行くに従って間引かれる画素数がさらに、大きくなる変形が行われることになる。そのため、制御部１０１は、図４（ｃ’）のように、１画面を構成する複数の表示領域を配置する位置変更するだけではなく、表示領域の数を少なくすると共に、間引かれる画素数の多い位置の表示領域の大きさを拡大した画像を生成する。
【００４５】
ここで説明した、制御部１０１にて生成される１画面の表示領域の配置の変更、大きさの変更、数の変更は一例であり、様々な変更方法があって良い。例えば、図８に示すように様々なパターンの表示領域の変更方法がある。図８においては、台形補正値が＋側のときのパターンであるが、−側の補正値であっても同様である。前述した例では、図８のパターン（１）−４に該当する表示領域の変更方法である。
【００４６】
図８によれば、制御部１０１では、台形補正値の変更によって、表示領域の大きさまたは位置または数を変更した画像を生成する。また、台形補正値が更に大きくなると表示領域の変更方法を組み合わせて画像を生成している。
【００４７】
次に本実施例のプロジェクタ１００における動作シーケンスについて図６のフローチャートを用いて説明する。図６において、各動作は、制御部１０１によって制御されている。
【００４８】
まず、プロジェクタ１００の操作部１０２の電源ボタンが操作され、電源が投入されると、前述したように、プロジェクタ１００の各ブロックに電源が供給される。次に、制御部１０１は、操作部１０２からの入力により、ユーザが記録媒体１２１に記録された画像データを再生させるモードに移行するか否かを確認する（Ｓ６１０）。このとき、制御部１０１は、表示部１５０やスクリーンに投影している画面にユーザが、再生モードを選択するのに必要な画面を出力しても良い。
【００４９】
ユーザにより記録媒体１２１に記録された画像データを再生させるモードが選択されると（Ｓ６１０でＹｅｓ）、次に、制御部１０１は、設定されている台形補正値に対応するサムネイル画面を形成してを投影させる（Ｓ６２０）。すなわち、図４、図８で説明したように、台形補正値に応じて、１画面のを構成する表示領域の配置、大きさ、数などを調整した画像を生成して、画像処理部１６０に送信する。
【００５０】
次に、制御部１０１は、台形補正操作が有ったか否かを判定し、台形補正操作があった場合には、投影される画像を台形補正値を画像処理部１６０に送信し、画像処理部１６０は入力された画像を縮小したり台形補正のための変形をさせる（Ｓ６４０）。そして、Ｓ６２０同様に、制御部１０１は、設定されている台形補正値に対応するサムネイル画面を形成してを投影させる（Ｓ６５０）。すなわち、図４、図８で説明したように、台形補正値に応じて、１画面のを構成する表示領域の配置、大きさ、数などを調整した画像を生成して、画像処理部１６０に送信する。つまり、制御部１０１は、台形補値が変更すると、図４（ａ）から（ｂ）のように、１画面を構成する複数の表示領域の配置を変更した画像を生成する。また、図４（ｂ）から（ｃ）のように、台形補値が変更すると、１画面を構成する複数の表示領域の数、大きさを変更した画像を生成する。
【００５１】
次に、制御部１０１は、投影終了の指示が入力されたか否かを判別し（Ｓ６６０）、投影終了の指示が入力されていれば、プロジェクタ１００の投影に必要なシステムの電源を落として投影を終了する（Ｓ６６０でＹｅｓ）。投影終了の指示が入力されていない場合は、Ｓ６１０に戻り、制御を継続する（Ｓ６６０でＮｏ）。
【００５２】
Ｓ６３０で、台形補正を行わない場合には、Ｓ６６０で、投影終了の指示が入力されたか否かを判別する。また、Ｓ６１０で、ユーザにより記録媒体１２１に記録された画像データを再生させるモードが選択されないと、制御部１０１は、画像入力部１３０や通信部１４０等から受信した画像を投影するモードに移行し、投影を開始する（Ｓ６７０）。このとき、台形補正の指示があれば、投影画像の台形補正処理は実行されるが、サムネイル画像を投影しているわけではないので、サムネイル画像の配置を変更するなどの処理は行わない。すなわち、制御部１０１では、１画面を複数の表示領域とした画像を生成していないので、配置の変更などは行わないのである。
【００５３】
この様に本実施例のプロジェクタ１００の制御部１０１は、投影画像の台形補正（キーストン補正）をするときに、１画面を構成する複数の表示領域の配置する位置を変更した画像を生成する。または、表示領域の数を減らした画像を生成する。または、表示領域の大きさを変更した画像を生成する。または、後述する図８で説明するように、台形補正の割合（変形率、台形補正値）に応じて、表示領域の位置変更、数変更、大きさの変更を任意に組み合わせた変更をした画像を生成してもよい。
【００５４】
本実施例において、プロジェクタ１００において、台形補正の指示がなければ、台形補正値は、起動直後以降送信されないので、一画面を構成する表示領域の配置、数、大きさが変わることはない。
【００５５】
このように、本実施例では、台形補正レベル（台形補正値）によって、１画面を構成する複数の表示領域の配置、数、大きさを変更するようにすることで、台形補正処理によって各表示領域の画像が見難くなる可能性を低減することができる。すなわち、投影画面上の複数の表示領域に画像などを分けて表示する場合、台形補正をしても画像が見づらくなってしまう可能性を低減することができる。また、本実施例では、複数の画像領域に分けて表示した場合について説明したが、複数の画像領域にわけない場合にも、台形補正レベルによって、表示領域の位置や大きさを変更することで、画像が見づらくなってしまう可能性を低減することができる。
【００５６】
また、上述の説明ではサムネイル画像を表示する例について説明したが、本実施例の表示領域には、例えば、記録媒体１２１に記録されている静止画データ、動画データを表示しても良いし、画像入力部１３０から受信した外部装置の画面を表示しても良い。また、通信部１４０から受信した外部装置から送信された静止画データや動画データ、外部装置の画面を示す画像データが表示されても良い。
【００５７】
本実施例では、液晶素子に形成された画像を投影する投影装置について説明したが、台形補正やキーストンといった画面の歪み補正を備えた投影装置であればどのようなものであっても良い。例えば、液晶素子を用いたものでなくとも、ＤＬＰプロジェクタ、レーザプロジェクタ等であってもかまわない。
【００５８】
また、投影中に台形補正を指示し、１画面を構成する表示領域の配置、数、大きさ等が変更される場合には、その旨を表示しても良い。特に、表示領域の数を減少させる場合には、減少する表示領域を投影画面上で識別できるように、表示するように警告するようにしても良い。
【実施例２】
【００５９】
本実施例では、プロジェクタ１００と、外部の再生装置５００とを接続した投影システムを例にとって説明する。実施例１と異なる点は、プロジェクタ１００側では、複数の表示領域を特に用意せず、再生装置５００から受信した画像を表示し、台形補正値を接続された再生装置５００に送信する。そして、再生装置５００は、プロジェクタ１００から送られた台形補正値に基づいて、実施例１の図３、図４、図８で説明したように、１画面を構成する複数の表示領域の配置、数、大きさを変更するようにしている。本実施例では、台形補正値がプロジェクタ１００から再生装置５００に送信する例について説明するが、表示領域の配置、数、大きさを変更するための指示が、プロジェクタ１００から送信されるようにしてもよい。本実施例においても、１画面を構成する複数の表示領域にはサムネイル画像を表示する例について説明するが、実施例１と同様にサムネイル画像以外の画像を表示しても良い。
【００６０】
以下、本実施例の投影システムについて説明する。
【００６１】
本実施例の投影システムは、プロジェクタ１００と再生装置５００を接続し、再生装置５００からプロジェクタ１００に画像データを送信し、プロジェクタ１００において、画像を投影させるシステムである。本実施例において、プロジェクタ１００の構成は図１と同様の構成であるため説明を省略する。
【００６２】
まず、プロジェクタ１００に画像を送信する再生装置５００のについて、図５を用いて説明する。ここで再生装置５００は、例えば、パソコンなどであるが、複数の画像データのサムネイルからなる画面をプロジェクタ１００の通信部１４０に対して送信する機能と、サムネイル画面の構成を変更することができればよい。すなわち、デジタルカメラ、ＤＶＤプレイヤー、携帯電話等であっても良い。
【００６３】
再生装置５００において、制御部５０１は、ＣＰＵとメモリ、マイコンチップなどからなり、再生装置５００の各機能ブロックを制御するものである。また、操作部５０２は、ユーザの指示を受け付け、制御部５０１に指示信号を送信するものである。また、バス５１０は、画像データや制御信号などを再生装置５００の各ブロックに送るためのものである。
【００６４】
また、記録再生部５２０は、記録媒体５２１に記録されている動画データや静止画データ、その他のデータなど再生する。記録再生部５２０は、記録媒体５２１に記録されている動画データや静止画データ、その他のデータのヘッダなどに記録されているサムネイルデータを読出すこともできる。ここで、記録媒体５２１は、動画データ、静止画データ、等を記録することができれば、磁気ディスク、光学式ディスク、半導体メモリなどのあらゆる方式の記録媒体であってよく、着脱可能な記録媒体であっても、内蔵型の記録媒体であってもよい。
【００６５】
また、画像出力部５３０は、プロジェクタ１００の画像入力部１３０に画像を送信するためのものであり、たとえば、ＲＧＢ端子、映像端子、Ｄ端子等、画像を入力するための端子などである。画像出力部５３０は、プロジェクタ１００以外にも画像を送信することができる。
【００６６】
通信部５４０は、プロジェクタ１００の通信部１４０と通信を行うためのものである。本実施例では、記録再生部５２０で再生された画像データや、制御部５０１により生成された複数の画像データのサムネイルを表示した画面をプロジェクタ１００に送信したり、プロジェクタ１００からの制御信号を樹脂したりするためのもである。通信部５４０は、その他の外部装置からの制御信号を受信したり、画像データを受信したりすることもできる。例えば、無線有線ＬＡＮ、ＵＳＢ、Ｂｌｕｅｔｏｏｔｈ（登録商標）などのあらゆる通信が可能である。また、画像入力部１３０の端子が、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）端子であれば、その端子を介してＣＥＣ通信を行うようなものであっても良い。また、画像データを送信する通信部と、制御信号を送受信する通信部とを個別に設けても良い。
【００６７】
表示部５５０は、パソコン５００に内蔵または接続されたディスプレイなどであって、再生装置５００の操作に必要なグラフィックユーザインタフェースなどを表示させるものである。
【００６８】
本実施例の再生装置５００の制御部５０１は、複数の表示領域からなる一画面の画像を生成し、プロジェクタ１００の画像入力部１３０や通信部１４０に、画像出力部５３０、通信部５４０から送信させることができる。また、制御部５０１は、一画面を構成する複数の表示領域に、記録再生部５２０によって再生された記録媒体５２１に記録された複数の静止画データ及び／または複数の動画データのサムネイル画像を表示させた画像を生成することができる。
【００６９】
制御部５０１は、各動画データまたは静止画データのヘッダからサムネイル画像を読出すように記録再生部５２０を制御してもよいし、各動画データまたは静止画データの縮小画像を生成したものをサムネイル画像としても良い。
【００７０】
本実施例におけるプロジェクタ１００の台形補正処理については、実施例１と同様の動作であるため、図２のように台形補正処理をするが、説明を省略する。
【００７１】
本実施例においては、実施例１と同様に、一画面を構成する複数の表示領域の配置、数、大きさを、台形補正値に応じて変更するようにしている。ここで、実施例１と異なるのは、プロジェクタ１００から台形補正値が再生装置５００に送信され、再生装置５００において、一画面を構成する複数の表示領域の配置、数、大きさを変更した画像を生成して、プロジェクタ１００に送信することにある。
【００７２】
次に本実施例の投影システムの動作シーケンスについて、図７のフローチャートを用いて説明する。図７のフローチャートにおけるプロジェクタ１００、再生装置５００の制御は、それぞれ、制御部１０１、制御部５０１によって行われる。
【００７３】
まず、プロジェクタ１００、再生装置５００をそれぞれ起動すると、プロジェクタ１００、再生装置５００の各ブロックに電力供給が開始される。
【００７４】
再生装置５００では、制御部５０１は、記録媒体５２１に記録された複数の静止画データ及び／または複数の動画データを再生するように、記録再生部５２０を制御する（Ｓ７５０）。そして、サムネイル画像を読出すかまたは生成する。
【００７５】
プロジェクタ１００では、制御部１０１は、プロジェクタ１００の通信部１４０と再生装置５００の通信部５４０が接続されていることを確認すると、現在の台形補正値を再生装置５００に通信部１４０を用いて送信する（Ｓ７００）。
【００７６】
再生装置５００では、制御部５０１は、通信部５４０により受信した台形補正値に基づいて、図４、図８に示したように、台形補正値に対応する一画面を構成する表示領域の配置、数、大きさとした画像を生成する（Ｓ７５１）。そして、制御部５０１は、生成した一画面の画像を画像出力部５３０を通してプロジェクタ１００の画像入力部１３０に送信させる（Ｓ７５２）。
【００７７】
プロジェクタ１００では、制御部１０１は、画像入力部１３０で受信したサムネイル画像の表示された一画面の画像をスクリーンに投影させるように、プロジェクタ１００の各ブロックを制御する（Ｓ７０１）。ここで、制御部１０１は、台形補正の指示が入力されたか否かを判定する（Ｓ７０２）。台形補正の指示が入力されていなければ引き続き受信した画像を表示させる（Ｓ７０２でＮｏ）。台形補正の指示が入力されると（Ｓ７０２でＹｅｓ）、図２で説明したように投影画像の台形補正処理を画像処理部１６０に実行させる（Ｓ７０３）。そして、制御部１０１は、台形補正処理によって、入力された台形補正値を、通信部１４０から再生装置５００の通信部５４０に送信させる（Ｓ７０４）。
【００７８】
再生装置５００では、制御部５０１は、台形補正値を受信したか否かを判定する（Ｓ７５３）。そして、制御部５０１は、台形補正値を受信していなければ（Ｓ７５３でＮｏ）、引き続き前回受信した台形補正値に対応するように、一画面を構成する複数の表示領域の配置、数、大きさを変更せずに一画面の画像を生成して、プロジェクタ１００に送信する。台形補正値を受信していれば（Ｓ７５３でＹｅｓ）、通信部５４０により受信した台形補正値に基づいて、図４に示したように、台形補正値に対応する表示領域の配置、数、大きさとした一画面の画像を生成する（Ｓ７５４）。そして、制御部５０１は、生成した一画面の画像を画像出力部５３０を通してプロジェクタ１００の画像入力部１３０に送信させる（Ｓ７５５）。再生装置５００では、制御部５０１は、この後、終了の指示がされるまでは、Ｓ７５２からＳ７５５の処理を繰り返す（Ｓ７５６）。
【００７９】
プロジェクタ１００では、制御部１０１は、画像入力部１３０で受信したサムネイル画像の表示された一画面の画像をスクリーンに投影させる（Ｓ７０５）。プロジェクタ１００では、制御部１０１は、投影終了の指示がされるまでは、Ｓ７０１からＳ７０５の処理を繰り返す（Ｓ７０６）。
【００８０】
この様に本実施例においては、プロジェクタ１００の制御部１０１は、台形補正値を再生装置５００に送信することで、再生装置５００の制御部５０１によって生成される一画面の画像の、複数の表示領域の配置、数、大きさを変更することができるのである。
【００８１】
このように、本実施例では、台形補正レベル（台形補正値）によって、一画面を構成する複数の表示領域の配置、数、大きさを変更することによって、台形補正処理によって各表示領域の画像が見難くなる可能性を低減することができる。
【００８２】
上述の説明では、台形補正値をプロジェクタ１００から、再生装置５００に送信する例について説明した。しかし、プロジェクタ１００から、一画面を構成する複数の表示領域の配置、数、大きさに関する情報を送信し、その情報に従って、再生装置５００の制御部５０１が位置替え面の画像を生成するようにしても良い。
【００８３】
また、上述の説明では、一画面を構成する複数の表示領域にサムネイル画像を表示する例について説明したが、他の画像を表示するようにしても良い。
【００８４】
本実施例では、液晶素子に形成された画像を投影する投影装置について説明したが、台形補正やキーストンといった画面の歪み補正を備えた投影装置であればどのようなものであっても良い。例えば、液晶素子を用いたものでなくとも、ＤＬＰプロジェクタ、レーザプロジェクタ等であってもかまわない。
【００８５】
また、投影中に台形補正を指示し、１画面を構成する表示領域の配置、数、大きさ等が変更される場合には、その旨を表示しても良い。特に、表示領域の数を減少させる場合には、減少する表示領域を投影画面上で識別できるように、表示するように警告するようにしても良い。この警告画面は、再生装置５００側で生成される。
【００８６】
［その他の実施例］  また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。特に、実施例２における、再生装置５００における処理をコンピュータに実行させるためのプログラムによっても、本発明が実現される。
【００８７】
また、実施例１、実施例２の機能は同時に備えられていても良い。また、各実施例を適宜組み合わせて使用しても良い。
【００８８】
また、実施例１、実施例２における、複数の表示領域の配置や大きさは、表示スクリーン上における画像の配置や大きさである。すなわち、図４に示すように、表示画面上における表示位置や大きさが変更されるように液晶パネル上に形成される画像の表示形態を変更するのである。
【図１】
2012042659.tif 000003
【図２】
2012042659.tif 000004
【図３】
2012042659.tif 000005
【図４】
2012042659.tif 000006
【図５】
2012042659.tif 000007
【図６】
2012042659.tif 000008
【図７】
2012042659.tif 000009
【図８】
2012042659.tif 000010